(57)【要約】【課題】  ＤＣ消去のイレーズヘッドを交換することなく、逆極性でも磁気ディスクの書込信号をＤＣ消去することができ、それによる磁化によりＤＴＭ等に対しても“０”あるいは“１”のサーボ情報を選択的に設定することが容易にできる磁気ディスクの信号イレーズ装置を提供することにある。【解決手段】  この発明は、第３および第６のヨークブロックを第１および第２の磁気ヘッドブロックの外側からそれぞれ第２および第５のヨークブロックあるいは第１および第４のヨークブロックのいずれかに装着することで、装着されたヨークブロックの端面に着磁される磁極を分散させて磁気ディスクを磁化を阻止し、第３および第６のヨークブロックが装着されていないヨークブロックの端面は強い磁極のままとして磁気ディスクを磁化する。これにより、イレーズヘッドを交換することなく、相互に反対方向の磁化磁極が選択できる。【選択図】    図１
2011187125.tif 000002
【特許請求の範囲】
【請求項１】
磁気ディスクが挿入される所定の間隙を介して対峙する第１および第２の磁気ヘッドブロックを有するイレーズヘッドと、前記磁気ディスクに対して前記イレーズヘッドを進退駆動する進退駆動機構とを有し、
前記第１の磁気ヘッドブロックは、第１の永久磁石ブロックとこれの前後に設けられた第１および第２のヨークブロックと前記第１および第２のヨークブロックのいずれかに外側から着脱可能に装着された第３のヨークブロックとからなり、前記第２の磁気ヘッドブロックは、第２の永久磁石ブロックとこれの前後に設けられた第４および第５のヨークブロックと前記第４および第５のヨークブロックのいずれかに外側から着脱可能に装着された第６のヨークブロックとからなり、
前記所定の間隙に面する前記第１のヨークブロックの端面とこれに対峙する前記第４のヨークブロックの端面に前記第１および第２の永久磁石ブロックによりそれぞれ異極の磁極が着磁され、これらの磁極により前記磁気ディスクを磁化するときには前記第３のヨークブロックが前記第２のヨークブロックに装着されかつ前記第６のヨークブロックが前記第５のヨークブロックに装着されて前記所定の間隙に面する前記第２および第５のヨークブロックの端面にそれぞれ着磁される前記とは逆の異極の磁極が前記第３および第６のヨークブロックにそれぞれに分散されて着磁され、
前記第２のヨークブロックの前記端面と前記第５のヨークブロックの前記端面にそれぞれ着磁された前記逆の異極の磁極により前記磁気ディスクを磁化するときには前記第３のヨークブロックが前記第１のヨークブロックに装着されかつ前記第６のヨークブロックが前記第４のヨークブロックに装着されて前記第１および第４のヨークブロックの前記端面にそれぞれ着磁される前記異極の磁極が前記第３および第６のヨークブロックにそれぞれ分散されて着磁される磁気ディスクの信号イレーズ装置。
【請求項２】
前記第１および第２のヨークブロックは、前記第１の永久磁石ブロックを挟んで設けられ、前記第４および第５のヨークブロックは、前記第２の永久磁石ブロックを挟んで設けられ、前記第１、第２、第４および第５のヨークブロックの前記端面の面積はそれぞれ等しい請求項１記載の磁気ディスクの信号イレーズ装置。
【請求項３】
前記第３および第６のヨークブロックの前記端面の面積はそれぞれ等しく、前記磁気ディスクの半径方向に延びて形成されている請求項２記載の磁気ディスクの信号イレーズ装置。
【請求項４】
前記第３のヨークブロックは、前記第１あるいは前記第２のヨークブロックの前記端面に連続する端面を形成し、この端面により前記第１あるいは前記第２のヨークブロックの前記端面の面積を前記磁気ディスクの半径方向に倍以上に拡大し、前記第６のヨークブロックは、前記第４あるいは前記第５のヨークブロックの前記端面に連続する端面を形成し、この端面により前記第４あるいは前記第５のヨークブロックの前記端面の面積を前記磁気ディスクの半径方向に倍以上に拡大する請求項３記載の磁気ディスクの信号イレーズ装置。
【請求項５】
前記第１、第２、第４および第５のヨークブロックと前記第１および第２の永久磁石ブロックは、それぞれ前記磁気ディスクの表面に対して垂直な方向に延びた角柱状のブロックであり、前記第３および第６のヨークブロックは前記磁気ディスクの半径方向に延びた板状のブロックであり、前記第１、第２、第４および第５のヨークブロックの前記角柱状のブロックの柱の高さが等しく、前記第３および第６のヨークブロックは前記角柱状のブロックの側面に前記板状のブロックの表面が装着され、前記板状のブロックの側面が前記端面となっている請求項４記載の磁気ディスクの信号イレーズ装置。
【発明の詳細な説明】
【技術分野】
【０００１】
この発明は、磁気ディスクの信号イレーズ装置に関し、詳しくは、永久磁石により磁気ディスクを直流磁界で消去（ＤＣ消去）する場合において、そのイレーズヘッドを交換することなく、磁気ディスクに対して簡単に極性を反転させて逆極性で磁気ディスクの書込信号をＤＣ消去することができ、あるいはそれによる磁気ディスク面の磁化によりＤＴＭ（ディスクリートトラックメディア）等に“０”あるいは“１”のサーボ情報を選択的に設定することが容易にできるような磁気ディスクの信号イレーズ装置に関する。
【背景技術】
【０００２】
磁気ディスク製造後の磁気ディスクの電気的特性検査では、磁気ディスク上のトラックにテストデータを書込み、そのデータを読出して磁気ディスクの良否を評価している。検査用に書込まれたテストデータは、直流磁界を加えることで消去され、あるいは交流磁界を加えることで消去される。
直流磁界による消去の場合には、磁気ディスクに対する磁化方向が一様になり、“０”あるいは“１”のデータ書込によるデータの消去となるが、交流磁界の場合には“０”あるいは“１”のデータ書込みではなく、残留磁化成分をなくす完全な消去になる。
直流磁界による消去としては、永久磁石を装備したイレーズヘッドを磁気ディスク表面に沿って進退させるＤＣ消去の磁気ディスクの書込信号に対するＤＣ消去装置が公知である（特許文献１）。
これとは別にディスク面を上下方向から永久磁石で挟んで、異極を対向させてディスク面に垂直に磁束を発生させ、磁気ディスクを回転させた状態でディスク面を一様に特定の方向に磁化するするＤＣ消去も行われている。このＤＣ消去は、垂直磁気記憶装置のディスクとなるＤＴＭあるいはトラック方向においてさらに微細に磁区分割したＢＰＭ（ビットパターンドメディア）等において、サーボ領域として形成された磁化領域を一様に磁化してサーボ情報を設定するのに利用されている。
なお、この種のサーボ情報を設定するＤＴＭ、ＢＰＭあるいはその他の凹凸パターンの記録層を有する磁気記録媒体（以下ＤＴＭ等という）にあっては、サーボ情報に対応する形で磁性体がディスクのサーボ領域にあらかじめ埋め込まれている。
【先行技術文献】
【特許文献】
【０００３】
【特許文献１】特開平７−２９１０６号公報
【発明の概要】
【発明が解決しようとする課題】
【０００４】
ＤＴＭ等においてディスク面を上下方向から永久磁石で挟んでディスク面に垂直な磁束を発生して一様に磁化するＤＣ消去によるサーボ領域の設定は、表面側をＳ極に、裏面側をＮ極に設定する場合と、その逆に表面側をＮ極に、裏面側をＳ極にする場合とがある。それにより表面側に“０”、裏面側に“１”のサーボ情報を設定する磁化あるいはその逆に設定する磁化とがある。なお、表面側をＳ極に裏面側をＮ極に設定する場合には、磁石のＮ極を磁気ディスクの表面側に配置し、磁石のＳ極を磁気ディスクの裏面側に配置してＤＣ消去をすることになる。
このような異なる磁化をして磁気ディスクをＤＣ消去する場合には、逆方向に磁束を発生させるためにそれぞれにイレーズヘッドを交換する必要がある。しかし、イレーズヘッドを交換した場合には磁極（マグネット）と磁気ディスクとの距離を再設定しなければならず、磁気ディスクの書込信号のイレーズ処理あるいはそれによるサーボ情報設定処理に時間がかかる問題がある。
この発明の目的は、このような従来技術の問題点を解決するものであって、ＤＣ消去のイレーズヘッドを交換することなく、逆極性でも磁気ディスクの書込信号をＤＣ消去することができ、それによる磁化によりＤＴＭ等に対しても“０”あるいは“１”のサーボ情報を選択的に設定することが容易にできる磁気ディスクの信号イレーズ装置を提供することにある。
【課題を解決するための手段】
【０００５】
このような目的を達成するための第１の発明の磁気ディスクの信号イレーズ装置の特徴は、磁気ディスクが挿入される所定の間隙を介して対峙する第１および第２の磁気ヘッドブロックを有するイレーズヘッドと、磁気ディスクに対してイレーズヘッドを進退駆動する進退駆動機構とを有し、第１の磁気ヘッドブロックが第１の永久磁石ブロックとこれの前後に設けられた第１および第２のヨークブロックと第１および第２のヨークブロックのいずれかに外側から着脱可能に装着された第３のヨークブロックとからなり、第２の磁気ヘッドブロックが第２の永久磁石ブロックとこれの前後に設けられた第４および第５のヨークブロックと第４および第５のヨークブロックのいずれかに外側から着脱可能に装着された第６のヨークブロックとからなる。
さらに、所定の間隙に面する第１のヨークブロックの端面とこれに対峙する第４のヨークブロックの端面に第１および第２の永久磁石ブロックによりそれぞれ異極の磁極が着磁され、これらの磁極により磁気ディスクを磁化するときには第３のヨークブロックが第２のヨークブロックに装着されかつ第６のヨークブロックが第５のヨークブロックに装着されて所定の間隙に面する第２および第５のヨークブロックの端面にそれぞれ着磁される前記とは逆の異極の磁極が第３および第６のヨークブロックにそれぞれに分散されて着磁され、第２のヨークブロックの端面と第５のヨークブロックの端面にそれぞれ着磁された逆の異極の磁極により磁気ディスクを磁化するときには第３のヨークブロックが第１のヨークブロックに装着されかつ第６のヨークブロックが第４のヨークブロックに装着されて第１および第４のヨークブロックの端面にそれぞれ着磁される前記異極の磁極が第３および第６のヨークブロックにそれぞれ分散されて着磁されるものである。
【発明の効果】
【０００６】
このように、この発明は、第３および第６のヨークブロックを第１および第２の磁気ヘッドブロックの外側からそれぞれ第２および第５のヨークブロックあるいは第１および第４のヨークブロックのいずれかに装着することで、装着されたヨークブロックの端面に着磁される磁極を分散させ、これによる磁気ディスクを磁化を阻止する。一方、第３および第６のヨークブロックが装着されていないヨークブロックの端面は強い磁極のままとし、これにより磁気ディスクを磁化する。これにより、イレーズヘッドを交換することなく、相互に反対方向の磁化磁極が選択でき、磁気ディスクに対する磁化方向を変更することが可能になる。
したがって、磁気ディスクに対して簡単に極性を反転させてＤＣ消去の磁化が可能となり、ＤＴＭ等にあってはこのＤＣ消去の磁化により“０”あるいは“１”のサーボ情報を選択的に設定することが容易にできる。
その結果、磁化状態を変更する場合にあってもイレーズヘッドが１つで済み、それぞれイレーズヘッドを交換する必要がなく、磁極（マグネット）と磁気ディスクとの距離を再設定することが不要となる。これにより、磁気ディスクの書込信号のイレーズ処理あるいはそれによるサーボ情報設定処理に対するスループットを向上させることができる。
【図面の簡単な説明】
【０００７】
【図１】図１は、この発明の適用した一実施例の磁気ディスクの信号イレーズ装置の斜視図である。
【図２】図２は、Ｎ極−Ｓ極の磁束によるＤＣ消去の磁気ディスクイレーズ処理の説明図である。
【図３】図３は、逆にＳ極−Ｎ極の磁束による図２に対して極性を反転させてＤＣ消去の磁気ディスクイレーズ処理の説明図である。
【発明を実施するための形態】
【０００８】
図１において、１０は、磁気ディスクの信号イレーズ装置であって、２１は、ＤＣイレーズされる磁気ディスク（ＤＴＭ）であり、スピンドル２２に装着されて回転する。
１は、イレーズ装置１０に設けられたＤＣ消去のためのイレーズヘッドであり、１ａ，１ｂは、ＤＴＭ２１の表裏面に対応してそれぞれ設けられたイレーズヘッド１の磁気ヘッドブロックである。
イレーズヘッド１は、進退駆動機構２によりＤＴＭ２１の半径方向に進退する。磁気ヘッドブロック１ａ，１ｂは、ＤＴＭ２１が挿入される所定の間隙Ｓを有し、この間隙Ｓを介して対峙している。
進退駆動機構２は、ＳＵＳ（ステンレススチール）、アルミニュウム等の非磁性金属の支持アーム２ａ，２ｂと、移動台座３、ガイドレール４、ベースフレーム５、ベルト駆動機構６、そしてモータ８等を有している。
【０００９】
支持アーム２ａ，２ｂは、角柱ロッドで形成され、板状のヨークブロック１４，１７を除く磁気ヘッドブロック１ａ，１ｂの本体が角柱ロッドの水平の延びた先端側の端面に固定されている。これにより磁気ヘッドブロック１ａ，１ｂの本体は、それぞれに支持アーム２ａ，２ｂに支持されている。これにより磁気ヘッドブロック１ａ，１ｂは、間隙Ｓをもって上下に配置される。
それぞれの支持アーム２ａ，２ｂは、その根本側が移動台座３に固定支持されている。移動台座３には、中央に支持突起３ａが起立して設けられ、支持アーム２ａの根本は、この支持突起３ａの前面に固定され、支持アーム２ｂの根本は、この支持突起３ａの下側において移動台座３の前面に固定されている。移動台座３は、ガイドレール４上を移動してＤＴＭ２１に対して進退する。ＤＴＭ２１は、これが前進したときに間隙Ｓに挿入されてそこに配置される。
【００１０】
前進した磁気ヘッドブロック１ａは、図２に示すように、ＤＴＭ２１の表面側に対峙して配置され、そのＮ極とＳ極とが表面になった永久磁石ブロック１１と、この永久磁石ブロック１１を挟んでこれの両側に結合された断面正方形の角柱状のヨークブロック（継鉄ブロック）１２，１３とをその本体として有している。
ヨークブロック１２，１３は、ＤＴＭ２１の表面に対して垂直方向に配列されて永久磁石ブロック１１に接着剤を介して固定されて断面矩形ブロックとして永久磁石ブロック１１に一体化されている。この角ブロックが磁気ヘッドブロック１ａ本体を形成し、この本体にはさらにヨークブロック１３側にこれの外側から板状のヨークブロック１４の表面がその側面に接して着脱可能に装着されている。
図１に示すように、ヨークブロック１４の表面には孔１４ａ，１４ｂが設けられていて、板状のヨークブロック１４は、図面右側の支持アーム２ａの側面に設けられたねじ孔２ｃ（図３参照）にこの孔１４ａ，１４ｂを介してボルトねじ１９ａ，１９ｂによりヨークブロック１３の側面にその表面を介して装着されている。
なお、図面では見えていないが、永久磁石ブロック１１を挟んで反対側のヨークブロック１２にもヨークブロック１４を装着する同様なねじ孔がヨークブロック１２の側面に設けられている。
【００１１】
磁気ヘッドブロック１ｂは、図２に示すように、ＤＴＭ２１の裏面側に対峙して配置され、永久磁石ブロック１１とは逆方向にＳ極とＮ極の順になるように表面に平行になった永久磁石ブロック１５と、この永久磁石ブロック１５を挟んでこれの両側に結合された断面正方形の角柱状のヨークブロック１６，１７とをその本体として有している。
ヨークブロック１６，１７は、ＤＴＭ２１の表面に対して垂直方向に配列されて永久磁石ブロック１５に接着剤を介して固定されて断面矩形ブロックとして一体化される。この角ブロックが磁気ヘッドブロック１ｂ本体を形成し、この本体にはさらにヨークブロック１７側にこれの外側から板状のヨークブロック１８の表面がその側面に接して着脱可能に装着されている。
なお、図１〜図３では、永久磁石ブロック１１，１５は、それぞれヨークブロック１２，１３あるいはヨークブロック１６，１７と同様な大きさの断面正方形の角柱ブロックとなっているが、永久磁石ブロック１１，１５は、必ずしも各ヨークブロックと同じ形状のものである必要はない。
ヨークブロック１８の側面にはヨークブロック１４と同様に孔１８ａ，１８ｂ（図１左側の図参照）が設けられている。図１，図２に示すように、ヨークブロック１８は、図面右側の支持アーム２ａの側面に設けられたねじ孔２ｄ（図３参照）にこの孔１８ａ，１８ｂを介してボルトねじ１９ｃ，１９ｄによりその表面がヨークブロック１７の側面に装着されている。
なお、図面では見えていないが、永久磁石ブロック１５を挟んで反対側のヨークブロック１６にもヨークブロック１８を装着する同様なねじ孔が設けられている。
【００１２】
磁気ヘッドブロック１ａ，１ｂにおいては、永久磁石ブロック１１と永久磁石ブロック１５とが間隙Ｓを挟んで対峙し、さらにヨークブロック１２，１３とヨークブロック１６，１７とが間隙Ｓを挟んで相互に対峙し、また、ヨークブロック１４とヨークブロック１８とが間隙Ｓを挟んでそれぞれに対峙している。
永久磁石ブロック１１のＮ極，Ｓ極は、ヨークブロック１２，１３の対峙するそれぞれ端面１２ａ，１３ａにそれぞれＮ極，Ｓ極を着磁させる。同様に永久磁石ブロック１５のＳ極，Ｎ極は、ヨークブロック１６，１７の対峙するそれぞれ端面１６ａ，１７ａにそれぞれＳ極，Ｎ極を着磁させる。
その結果、それぞれ対峙するヨークブロック１２，１６の端面１２ａ，１６ａとヨークブロックの端面１７ａ，１３ａには相互に異極が磁化されて、かつそれぞれの異極は相互に反対極性になっている。
【００１３】
ここで、角柱状のヨークブロック１２，１３のＤＴＭ２１の表面に対峙する下側の端面１２ａ，１３ａの面積（間隙Ｓに面する端面の面積）と角柱状のヨークブロック１６，１７のＤＴＭ２１の裏面に対峙する上側の端面１６ａ，１７ａの面積（間隙Ｓに面する端面の面積）とは実質的に等しく正方形をなしている。これに対して板状のヨークブロック１４のＤＴＭ２１の表面に対峙する下側の端面１４ａ（ヨークブロック１４の下側面／図２，図３参照）の面積（間隙Ｓに面する側端面の面積）と板状のヨークブロック１８のＤＴＭ２１の裏面に対峙する上側の端面１８ａ（ヨークブロック１８の上側面／図２，図３参照）の面積（間隙Ｓに面する側端面の面積）とは実質的に等しく長方形である。ヨークブロック１４の端面とヨークブロック１８の端面１８ａは、それぞれＤＴＭ２１の半径方向に延びて、その面積は、前記の角柱状のヨークブロック１２，１３，１６，１７の端面１２ａ，１３ａ，１６ａ，１７ａの正方形の２倍以上の面積となっている。
これにより、板状のヨークブロック１４，１８が装着されたヨークブロック１３，１７側の間隙Ｓに面する端面の面積は３倍以上に拡大され、間隙Ｓに面するヨークブロック１３，１７の端面１３ａ，１７ａに着磁される磁極の面積がこれらの面積の合計分に分散されて着磁される。
【００１４】
なお、永久磁石ブロック１１と永久磁石ブロック１５との対峙する間隙Ｓに面する端面の面積（間隙Ｓに面する側端面の面積）もこの実施例では等しいが、この発明では、間隙Ｓに面する各ヨークの端面の端面が対峙する関係に配置されればよいので、間隙Ｓに面する永久磁石ブロック１１と永久磁石ブロック１５の端面の面積は必ずしも各角柱状のヨークブロックと等しくする必要はない。
図１の左上部にヨークブロック１４とヨークブロック１８として示すように、板状のヨークブロック１４と板状のヨークブロック１８とは、図３に示すように、図面左側の角柱状のヨークブロック１２，角柱状のヨークブロック１６のぞれぞれにも装着することができる。それによりＤＴＭ２１に対する磁化する磁束の向きを前記とは逆方向に変更することができる。
これは、ヨークブロック１６，１７の着磁による磁極の分散を解いて、ヨークブロック１２，１３の着磁による磁極側を分散させることによる。それにより、ヨークブロック１６，１７の磁極による磁束をＤＴＭ２１に対する磁化磁束として磁束の方向を反転させる。
【００１５】
図１に戻り、ガイドレール４は、ベースフレーム５に起立した支持ブロック５ａを介して固定されている。ガイドレール４の両側面にはＶ溝４ａ，４ｂ（４ｂ側は図面では陰となって見えていない。）がそれぞれ形成され、移動台座３の底部から下に延びた軸受部材３ｂ，３ｃ（軸受部材３ｃは支持ブロック５ａの陰となり、図面では見えていない。）のローラがＶ溝４ａ，４ｂに係合してこれを介してガイドレール４の両側で移動台座３が支持されている。
ガイドレール４の下側にはベルト駆動機構６が設けられ、そのエンドレスベルト６ａ（以下ベルト６ａ）が支持ブロック５ａを囲むように配置されいる。ベースフレーム５の下側から水平に前後に突出したブラケット５ａ，５ｂに支持された垂直軸でローラ７ａ，７ｂが軸支され、これらローラ７ａ，７ｂがベルト６ａに前後で係合している。
前側のローラ７ａの軸５ｃは、ブラケット５ａを貫通して軸５ｃの下側端部に設けられた笠歯車５ｄがモータ８の回転軸に設けられた笠歯車８ａと噛合している。そこで、モータ８が駆動されることで、前側のローラ７ａが駆動ローラとされてベルト６ａが回転する。
【００１６】
前側のローラ７ａの正転，逆転駆動により、ベルト６ａを介して結合された移動台座３がＤＴＭ２１に対して前後に移動する。それによりイレーズヘッド１がＤＴＭ２１に対して進退する。
なお、ベルト６ａと移動台座３との結合は、移動台座３から垂下する結合板によるが、支持ブロック５ａの陰となり、これは図面では見えていない。
ベースフレーム５は、両サイドにホトインタラプタ８ａ，８ｂが設けられている。なお、ホトインタラプタ８ｂは、イレーズヘッド１の陰となっているので、左上部に点線で示してある。
これらホトインタラプタ８ａ，８ｂの検出によりイレーズヘッド１がＤＴＭ２１の内周から外周をカバーする範囲でＤＴＭ２１を半径方向に走査することができる。
支持突起３ａの頭部にはホトインタラプタ８ａ，８ｂのそれぞれの遮光板となるプレート９が設けられ、プレート９の垂下曲折部９ａがホトインタラプタ８ａの遮光板となり、垂下曲折部９ｂがホトインタラプタ８ｂの遮光板となっている。
【００１７】
進退駆動機構２によりイレーズヘッド１が進退駆動されて、ＤＴＭ２１の半径方向に前進したときに、図２に示すように、永久磁石ブロック１１により発生する磁束により着磁された間隙Ｓに面するヨークブロック１２の端面１２ａにはＮ極が発生し、永久磁石ブロック１５により発生する磁束により着磁された間隙Ｓに面するヨークブロック１６の端面１６ａにはＳ極が発生する。これら磁極によって間隙Ｓに磁束ＭＡが発生して間隙Ｓ内にあるＤＴＭ２１の面が表面から裏面に向かってＳ−Ｎとして磁化され、表面側にデータ“０”が、裏面側にデータ“１”が書き込まれる。
磁束ＭＡを発生した永久磁石ブロック１１のＮ極からＳ極へと回帰する回帰磁界は、永久磁石ブロック１５を経て分散した磁束ＭＢとなってヨークブロック１７の端面１７ａと板状のヨークブロック１８の端面１８ａとにより拡大され、ＤＴＭ２１を経てヨークブロック１３の端面１３ａと板状のヨークブロック１４の端面１４ａとによる拡大された端面に至り、これらにより分散された後に永久磁石ブロック１１のＳ極へと戻る。
【００１８】
このときのヨークブロック１４の端面（対峙面）１４ａとヨークブロック１８の端面（対峙面）１８ａの面積がヨークブロック１７とヨークブロック１３との端面（対峙面）の面積の２倍か、それ以上あることからここでの発生している磁束ＭＢは、ＤＴＭ２１を磁化する磁束ＭＡに対して１／３か、それ以下に低下させることができる。しかも、この１／３以下の磁束は、磁気ディスクの半径方向に延びる板状のヨークブロック１４の端面とヨークブロック１８の端面とにより磁気ディスクの半径方向にも分散される。
この分散により磁束ＭＢをＤＴＭ２１を磁化しない磁力まで落とし、かつ、磁束ＭＡ側をＤＴＭ２１の磁化に十分な強い磁力に設定することができる。
なお、このとき、永久磁石ブロック１５のＮ極から発生する磁束は、磁束ＭＢとなってヨークブロック１７，ヨークブロック１８からヨークブロック１３，１４を経て、永久磁石ブロック１１を通り、間隙Ｓの磁束ＭＢとなって永久磁石ブロック１５のＳ極へ回帰する。
【００１９】
ＤＣ消去としては、ＤＴＭ２１を回転させた状態で、外周の外のホームポジションからＤＴＭ２１の外周から入り、内周側にイレーズヘッド１を移動して、その後、内周側から外周側へと戻り、イレーズヘッド１をＤＴＭ２１の外周の外のホームポジションへまで移動して停止させる。
このとき、内周側の到達点でホトインタラプタ８ｂがイレーズヘッド１の位置を検出し、外周の外のホームポジションでホトインタラプタ８ａがイレーズヘッド１の位置を検出する。
【００２０】
ここで、図３に示すように、ヨークブロック１４をヨークブロック１３から取り外してボルトねじ１９ａ，１９ｂによりヨークブロック１２に装着し、同様にヨークブロック１８をヨークブロック１７から取り外してボルトねじ１９ｃ，１９ｄによりヨークブロック１６に装着する。
このようにすると、永久磁石ブロック１５により発生する磁束によりヨークブロック１７の間隙Ｓに面する端面１７ａがＮ極が着磁され、永久磁石ブロック１１により発生する磁束によりヨークブロック１３の間隙Ｓに面する端面１３ａがＳ極に着磁される。これにより、磁束ＭＣが発生して間隙Ｓ内にあるＤＴＭ２１の面が裏面から表面に向かってＮ−Ｓと前記とは逆方向の磁束が発生する。これにより、今度は、表面側にデータ“１”が、裏面側にデータ“０”が書き込まれる。
なお、これに対してヨークブロック１２，１６の対峙する端面１２ａ，１６ａとヨークブロック１４，１８の対峙する端面１４ａ，１８ａ側には、分散した磁化により磁束ＭＤが発生している。この分散により磁束ＭＤは、ＤＴＭ２１を磁化しない磁力まで落とされる。
【００２１】
ここで、図２の間隙Ｓにおいてヨークブロック１２，１６の対峙する端面１２ａ，１６ａの面積と、図３の間隙Ｓにおいてヨークブロック１７，１３の対峙する端面１３ａ，１７ａの面積とはそれぞれ等しいことから磁束ＭＣは、磁束ＭＡに等しく、単に磁化極性が反転した着磁により発生している。
その結果、同じイレーズヘッド１において、実質的に同じ磁束密度で極性変更が可能になり、それにより表面側に“１”、裏面側に“０”のサーボ情報を設定する場合とその逆に設定する場合とにおいては、単にヨークブロック１４，１８の装着を変えるだけで容易に対応できる。もちろん、ＤＣ消去による磁気ディスクのその他の信号の消去も同様に容易である。
【産業上の利用可能性】
【００２２】
以上説明してきたが、実施例では、永久磁石ブロックが両側から２本のヨークブロックにより狭持（サンドイッチ）された形で一体化されているが、この発明は、永久磁石ブロックが２本のヨークブロックによりサンドイッチされた形状に限定されるものではなく、２本のヨークブロックの上部に永久磁石ブロックが配置されても、また、２本のヨークブロックの背面に配置されていてもよい。この発明は、２本のヨークブロックが永久磁石ブロックに対して前後の関係で配置されていればよく、永久磁石ブロックの前後に多くのヨークブロックが設けられていてもよい。
また、実施例では、ヨークブロックは、角柱状のブロックとしているが、この発明は、これを円柱状のブロックとしてもよい。円柱状のブロックの側面に装着される板状のヨークブロックは、円柱状の側面に適合するように円柱状の凹みを設ければ済む。
同様にこの発明では、板状のヨークブロックは、間隙Ｓに面するヨークブロックの端面に着磁される磁極が磁気ディスクを磁化しない程度に着磁が分散されるものであれば板状のヨークブロックに限定されるものではない。
【符号の説明】
【００２３】
１…イレーズヘッド、１ａ，１ｂ…磁気ヘッドブロック、
２…進退駆動機構、２ａ，２ｂ…支持アーム、３…移動台座、
４…ガイドレール、５…ベースフレーム、６…ベルト駆動機構、
６ａ…エンドレズベルト、８…モータ、８ａ，８ｂ…ホトインタラプタ、
９…プレート、９ａ，９ｂ…垂下曲折部、
１０…磁気ディスクの信号イレーズ装置、１１，１５…永久磁石ブロック、
１２，１３，１６，１７…角柱状のヨークブロック、
１４，１８…板状のヨークブロック、１９ｃ，１９ｄ…ボルトねじ、
２１…ディスク（ＤＴＭ）、２２…スピンドル。
【図１】
2011187125.tif 000003
【図２】
2011187125.tif 000004
【図３】
2011187125.tif 000005